(57)【特許請求の範囲】
【請求項１】
基地局（ＢＳ）によるワイヤレス通信のための方法であって、
複数のユーザ機器（ＵＥ）への送信のための、送信アンテナの多次元アレイの複数のポートと空間多重化されたレイヤの数とを決定することと、
直交カバーコード（ＯＣＣ）と１つまたは複数の符号分割多重化（ＣＤＭ）グループとを使用して、復調基準信号（ＤＭＲＳ）パターン中で前記レイヤまたは前記ポートを多重化することによって、前記ＤＭＲＳパターンを構成することと、
前記複数のＵＥに、無線リソース制御（ＲＲＣ）シグナリングを使用して、前記構成されたＤＭＲＳパターンに関する指示を与えることと、ここにおいて、前記指示のビット数が、前記構成されたＤＭＲＳパターンがレガシーＤＭＲＳパターンであるか、または非レガシーＤＭＲＳパターンであるかを示す、
前記多重化されたレイヤおよび前記ポートを使用して、前記構成されたＤＭＲＳパターンに基づいて、ＤＭＲＳシンボルを送信することと
を備える、方法。
【請求項２】
前記指示が、
第１および第２のＣＤＭグループのために使用される多重化のタイプを示す第１のデータと、
前記ＯＣＣの長さを示す第２のデータと
を備える、請求項１に記載の方法。
【請求項３】
前記複数のユーザ機器（ＵＥ）のうちの１ＵＥの速度、またはより高次のマルチユーザ多入力多出力（ＭＵ−ＭＩＭＯ）通信をサポートするための前記ＵＥの能力に基づいて、前記構成されたＤＭＲＳパターンを動的に切り替えることをさらに備える、請求項１に記載の方法。
【請求項４】
物理ダウンリンク制御チャネル（ＰＤＣＣＨ）上でＬ１制御シグナリングを使用して、前記ＤＭＲＳシンボルを送信するための、送信アンテナの前記多次元アレイの前記ポートとレイヤの前記数とに関する指示を通信することをさらに備える、請求項１に記載の方法。
【請求項５】
Ｌ１制御シグナリングを使用して、前記構成されたＤＭＲＳパターンと送信アンテナの前記多次元アレイの前記ポートとのジョイント指示を通信することをさらに備え、
前記ジョイント指示が、物理ダウンリンク共有チャネル（ＰＤＳＣＨ）レートマッチング指示のための１ビットと、前記構成されたＤＭＲＳパターンおよび送信アンテナの前記多次元アレイの前記ポートを示す４ビットとを備える、請求項１に記載の方法。
【請求項６】
前記ＯＣＣが、シーケンス｛ａ，ｂ，ｃ，ｄ｝によって示される長さ４のウォルシュコードを備え、前記方法が、
周波数領域上で、前記ＯＣＣと他のＯＣＣとの間で切り替えることをさらに備え、ここにおいて、前記他のＯＣＣが前記長さ４のウォルシュコードのサイクリックシフトバージョンであり、前記他のＯＣＣが、シーケンス｛ｂ，ｃ，ｄ，ａ｝によって示される長さ４のウォルシュコードを備える、請求項１に記載の方法。
【請求項７】
前記ＤＭＲＳシンボルを送信するために使用される複数のバンドルリソースブロック（ＲＢ）のために、前記複数のＵＥのうちのＵＥをスケジュールすることと、
前記複数のバンドルＲＢに同じプリコーダを適用することと、
前記共同スケジュールされたＵＥに、前記複数のバンドルＲＢのサイズに関する指示を与えることと
をさらに備える、請求項１に記載の方法。
【請求項８】
ｅノードＢによるワイヤレス通信のための装置であって、
複数のユーザ機器（ＵＥ）への送信のための、送信アンテナの多次元アレイの複数のポートと空間多重化されたレイヤの数とを決定することと、
直交カバーコード（ＯＣＣ）と１つまたは複数の符号分割多重化（ＣＤＭ）グループとを使用して、復調基準信号（ＤＭＲＳ）パターン中で前記レイヤまたは前記ポートを多重化することによって、前記ＤＭＲＳパターンを構成することとを行うように構成された少なくとも１つのプロセッサと、
前記複数のＵＥに、無線リソース制御（ＲＲＣ）シグナリングを使用して、前記構成されたＤＭＲＳパターンに関する指示を与えることと、ここにおいて、前記指示のビット数が、前記構成されたＤＭＲＳパターンがレガシーＤＭＲＳパターンであるか、または非レガシーＤＭＲＳパターンであるかを示す、
前記多重化されたレイヤおよび前記ポートを使用して、前記構成されたＤＭＲＳパターンに基づいて、ＤＭＲＳシンボルを送信するように構成されたトランシーバと
を備える、装置。
【請求項９】
ユーザ機器（ＵＥ）によるワイヤレス通信のための方法であって、
基地局（ＢＳ）から、復調基準信号（ＤＭＲＳ）パターンを示すダウンリンク（ＤＬ）制御シグナリングを受信することと、ここにおいて、前記指示のビット数が、前記構成されたＤＭＲＳパターンがレガシーＤＭＲＳパターンであるか、または非レガシーＤＭＲＳパターンであるかを示す、
前記ＤＬ制御シグナリングに基づいて、ＤＭＲＳシンボル送信のための、アンテナの多次元アレイのポートと空間多重化レイヤとを決定することと、前記ポートおよび前記レイヤが、直交カバーコード（ＯＣＣ）および１つまたは複数の符号分割多重化（ＣＤＭ）グループを使用して、前記ＤＭＲＳパターン中で多重化される、
前記決定に基づいて前記ＤＭＲＳシンボルを受信することと
を備える、方法。
【請求項１０】
前記ＯＣＣが長さ２のＯＣＣを備え、
前記１つまたは複数のＣＤＭグループが、レイヤの第１のペアまたはポートの第１のペアに割り振られた第１のＣＤＭグループと、レイヤの第２のペアまたはポートの第２のペアに割り振られた第２のＣＤＭグループとを備え、
前記第１のＣＤＭグループおよび前記第２のＣＤＭグループが、時間および周波数領域における同じリソース要素上で非直交多重化され、
前記第１のＣＤＭグループが第１のスクランブリングシーケンスを使用し、前記第２のＣＤＭグループが第２のスクランブリングシーケンスを使用する、請求項１または９に記載の方法。
【請求項１１】
前記ＯＣＣが長さ２のＯＣＣを備え、
前記１つまたは複数のＣＤＭグループが、レイヤの第１のペアまたはポートの第１のペアに割り振られた第１のＣＤＭグループと、レイヤの第２のペアまたはポートの第２のペアに割り振られた第２のＣＤＭグループとを備え、
直交時分割多重化（ＴＤＭ）および周波数分割多重化（ＦＤＭ）が、前記第１のＣＤＭグループと前記第２のＣＤＭグループとの間で適用される、請求項１または９に記載の方法。
【請求項１２】
前記ＯＣＣが長さ４のＯＣＣを備え、
前記１つまたは複数のＣＤＭグループが、時間領域における４つの不連続リソース要素（ＲＥ）にわたる４つのレイヤまたは４つのポートに割り振られた単一のＣＤＭグループを備える、請求項１または９に記載の方法。
【請求項１３】
前記ＯＣＣが長さ４のＯＣＣを備え、
前記１つまたは複数のＣＤＭグループが、
時間領域における４つの不連続リソース要素（ＲＥ）にわたる４つのレイヤまたは４つのポートの第１のセットに割り振られた第１のＣＤＭグループと、
時間領域における前記４つの不連続ＲＥにわたる４つのレイヤまたは４つのポートの第２のセットに割り振られた第２のＣＤＭグループとを備え、
前記第１のＣＤＭグループおよび前記第２のＣＤＭグループが、時間および周波数領域における同じリソース要素上で非直交多重化され、ここにおいて、前記第１のＣＤＭグループが第１のスクランブリングシーケンスを使用し、前記第２のＣＤＭグループが第２のスクランブリングシーケンスを使用する、請求項１または９に記載の方法。
【請求項１４】
無線リソース制御（ＲＲＣ）シグナリングを介して、前記ＤＭＲＳパターンに関する指示を受信することをさらに備え、前記指示が、
第１および第２のＣＤＭグループのために使用される多重化のタイプを識別する第１のデータと、
前記ＯＣＣの長さを識別する第２のデータと
を備える、請求項９に記載の方法。
【請求項１５】
物理ダウンリンク制御チャネル（ＰＤＣＣＨ）上でＬ１制御シグナリングを使用して、前記ＤＭＲＳシンボルを送信するための、アンテナの前記多次元アレイの前記ポートとレイヤの数とに関する指示を受信することをさらに備える、請求項９に記載の方法。
【請求項１６】
Ｌ１制御シグナリングを使用して、前記ＤＭＲＳパターンとアンテナの前記多次元アレイの前記ポートとのジョイント指示を受信することをさらに備える、請求項９に記載の方法。
【請求項１７】
前記ジョイント指示が、物理ダウンリンク共有チャネル（ＰＤＳＣＨ）レートマッチング指示のための１ビットと、前記構成されたＤＭＲＳパターンおよび送信アンテナの前記多次元アレイの前記ポートを示す４ビットとを備える、請求項９に記載の方法。
【請求項１８】
共同スケジュールされたユーザ機器（ＵＥ）のための同じバンドリング境界に基づいて、複数のバンドルリソースブロック（ＲＢ）内で受信された前記ＤＭＲＳシンボルを処理すること、または、
より高いレイヤ構成されたバンドリング境界に基づいて、複数のバンドルリソースブロック（ＲＢ）中で受信された前記ＤＭＲＳシンボルを処理することをさらに備え、
ここにおいて、同じプリコーダが前記複数のバンドルＲＢ内の各ポートのために使用された、請求項９に記載の方法。
【請求項１９】
ユーザ機器（ＵＥ）によるワイヤレス通信のための装置であって、
ダウンリンク（ＤＬ）制御シグナリングに基づいて、ＤＭＲＳシンボル送信のための、アンテナの多次元アレイのポートと空間多重化レイヤとを決定するように構成されたプロセッサと、前記ポートおよび前記レイヤが、直交カバーコード（ＯＣＣ）および１つまたは複数の符号分割多重化（ＣＤＭ）グループを使用して、直交ＤＭＲＳパターン中で多重化される、
基地局から、復調基準信号（ＤＭＲＳ）パターンを示す前記ＤＬ制御シグナリングを受信することと、ここにおいて、前記指示のビット数が、前記構成されたＤＭＲＳパターンがレガシーＤＭＲＳパターンであるか、または非レガシーＤＭＲＳパターンであるかを示す、
前記決定に基づいて前記ＤＭＲＳシンボルを受信することとを行うように構成されたトランシーバと
を備える、装置。
【発明の詳細な説明】
【技術分野】
【０００１】
関連出願の相互参照
[0001]  本出願は、本出願の譲受人に譲渡され、その内容が参照により本明細書に組み込まれる、２０１５年２月１０日に出願された「DMRS Enhancement for Higher Order MU-MIMO」と題するＰＣＴ出願第ＰＣＴ／ＣＮ２０１５／０７２６３６号の利益を主張する。
【０００２】
[0002]  本開示のいくつかの態様は、一般にワイヤレス通信（wireless communication）に関し、より詳細には、より高次の（higher order）マルチユーザ多入力多出力（ＭＵ−ＭＩＭＯ：multi-user multiple-input multiple-output）通信のための復調基準信号（ＤＭＲＳ：demodulation reference signal）拡張（enhancement）に関する。
【背景技術】
【０００３】
[0003]  ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソース（たとえば、帯域幅および送信電力）を共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交（orthogonal）ＦＤＭＡ（ＯＦＤＭＡ）ネットワーク、シングルキャリアＦＤＭＡ（ＳＣ−ＦＤＭＡ）ネットワーク、第３世代パートナーシッププロジェクト（３ＧＰＰ（登録商標）：3rd Generation Partnership Project）ロングタームエボリューション（ＬＴＥ（登録商標）：Long Term Evolution）ネットワーク、およびロングタームエボリューションアドバンスト（ＬＴＥ−Ａ）ネットワークがある。
【０００４】
[0004]  ワイヤレス通信ネットワークは、いくつかのユーザ機器（ＵＥ：user equipment）との通信をサポートすることができるいくつかの基地局（base station）を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。基地局は、ＵＥにダウンリンク上でデータおよび制御情報を送信し得、および／またはＵＥからアップリンク上でデータおよび制御情報を受信し得る。この通信リンクは、単入力単出力、多入力単出力または多入力多出力（ＭＩＭＯ）システムを介して確立され得る。
【０００５】
[0005]  ＭＩＭＯシステムは、データ送信のために複数（ＮT）個の送信アンテナ（transmit antenna）と複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ただし、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善された性能（たとえば、より高いスループットおよび／またはより大きい信頼性）を与えることができる。
【０００６】
[0006]  ＭＩＭＯシステムは、時分割複信（ＴＤＤ：time division duplex）システムと周波数分割複信（ＦＤＤ：frequency division duplex）システムとをサポートする。ＴＤＤシステムでは、順方向リンク送信と逆方向リンク送信とが同じ周波数領域上で行われるので、相反定理（reciprocity principle）により逆方向リンクチャネルからの順方向リンクチャネルの推定が可能である。これにより、複数のアンテナが基地局において利用可能であるとき、基地局は順方向リンク上で送信ビームフォーミング利得を引き出すことができる。
【発明の概要】
【０００７】
[0007]  本開示のいくつかの態様は、基地局（ＢＳ：base station）によるワイヤレス通信のための方法を提供する。本方法は、概して、複数のユーザ機器（ＵＥ）への送信のための、送信アンテナの多次元アレイ（multi-dimensional array）の複数のポート（port）と空間多重化されたレイヤの数（a number of spatial multiplexed layers）とを決定することと、直交カバーコード（ＯＣＣ：orthogonal cover code）と１つまたは複数の符号分割多重化（ＣＤＭ：code division multiplexing）グループとを使用して、復調基準信号（ＤＭＲＳ）パターン（pattern）中でレイヤまたはポートを多重化することによって、直交ＤＭＲＳパターン（orthogonal DMRS pattern）を構成することと、多重化されたレイヤおよびポートを使用して、構成されたＤＭＲＳパターンに基づいて、ＤＭＲＳシンボル（symbol）を送信することとを含む。
【０００８】
[0008]  本開示のいくつかの態様は、ユーザ機器（ＵＥ）によるワイヤレス通信のための方法を提供する。本方法は、概して、基地局（ＢＳ）から、直交復調基準信号（ＤＭＲＳ）パターンを示すダウンリンク（ＤＬ：downlink）制御シグナリング（control signaling）を受信することと、ＤＬ制御シグナリングに基づいて、ＤＭＲＳシンボル送信のための、アンテナの多次元アレイのポートと空間多重化レイヤとを決定することと、ポートおよびレイヤが、直交カバーコード（ＯＣＣ）および１つまたは複数の符号分割多重化（ＣＤＭ）グループを使用して、直交ＤＭＲＳパターン中で多重化される、決定に基づいてＤＭＲＳシンボルを受信することとを含む。
【０００９】
[0009]  方法、装置、システム、コンピュータプログラム製品、および処理システムを含む多数の他の態様が提供される。
【図面の簡単な説明】
【００１０】
【図１】[0010]  本開示のいくつかの態様による、例示的なワイヤレス通信ネットワークを概念的に示すブロック図。
【図２】[0011]  本開示のいくつかの態様による、ワイヤレス通信ネットワーク中のユーザ機器（ＵＥ）と通信している発展型ノードＢ（ｅＮＢ）の一例を概念的に示すブロック図。
【図３】[0012]  本開示のいくつかの態様による、ワイヤレス通信ネットワークにおいて使用するための特定の無線アクセス技術（ＲＡＴ：radio access technology）のための例示的なフレーム構造を概念的に示すブロック図。
【図４】[0013]  本開示のいくつかの態様による、ノーマル（normal）サイクリックプレフィックス（ＣＰ：cyclic prefix）をもつダウンリンクのための例示的なサブフレームフォーマットを示す図。
【図５】[0014]  本開示のいくつかの態様による、例示的な擬似直交（quasi-orthogonal）復調基準信号（ＤＭＲＳ）構造を示す図。
【図６】[0015]  本開示のいくつかの態様による、ノーマルサイクリックプレフィックス（ＣＰ）をもつ４レイヤマルチユーザ多入力多出力（ＭＵ−ＭＩＭＯ）通信のための例示的なＤＭＲＳパターンを示す図。
【図７】[0016]  本開示のいくつかの態様による、拡張（extended）ＣＰをもつ４レイヤＭＵ−ＭＩＭＯ通信のための例示的なＤＭＲＳパターンを示す図。
【図８】[0017]  本開示のいくつかの態様による、８レイヤＭＵ−ＭＩＭＯのための例示的なＤＭＲＳパターンを示す図。
【図９】[0018]  本開示のいくつかの態様による、ＤＭＲＳパターンおよびポート指示のためのダウンリンク（ＤＬ）制御シグナリングの例を示す図。
【図１０】[0019]  本開示のいくつかの態様による、１つのコードワードが有効にされたジョイントＤＭＲＳパターンおよびポート指示の例を示す図。
【図１１】[0020]  本開示のいくつかの態様による、２つのコードワードが有効にされたジョイントＤＭＲＳパターンおよびポート指示の例を示す図。
【図１２】[0021]  本開示のいくつかの態様による、ＤＭＲＳと直交カバーコード（ＯＣＣ）とのマッピングの例を示す図。
【図１３】[0022]  本開示のいくつかの態様による、プリコーディングリソースブロック（ＰＲＢ：precoding resource block）バンドリング（bundling）の一例を示す図。
【図１４】[0023]  本開示のいくつかの態様による、１つのプリコーディングＲＢグループ（ＰＲＧ：precoding RB group）中に２つのＲＢをもつＰＲＢバンドリングの一例を示す図。
【図１５】[0024]  本開示のいくつかの態様による、複数のＵＥにＤＭＲＳを送信するための発展型ノードＢ（ｅＮＢ）において実行され得る例示的な動作を示す図。
【図１５Ａ】[0025]  図１５に示されている動作を実行することが可能な例示的な手段を示す図。
【図１６】[0026]  本開示のいくつかの態様による、ｅＮＢから受信されたＤＭＲＳを処理するためにユーザ機器（ＵＥ）において実行され得る例示的な動作を示す図。
【図１６Ａ】[0027]  図１６に示されている動作を実行することが可能な例示的な手段を示す図。
【発明を実施するための形態】
【００１１】
[0028]  添付の図面を参照しながら本開示の様々な態様が以下でより十分に説明される。ただし、本開示は、多くの異なる形態で実施され得、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本開示の他の態様とは無関係に実装されるにせよ、本開示の他の態様と組み合わせられるにせよ、本明細書で開示される本開示のいかなる態様をもカバーするものであることを、当業者は諒解されたい。たとえば、本明細書に記載される態様をいくつ使用しても、装置は実装され得、または方法は実施され得る。さらに、本開示の範囲は、本明細書に記載される本開示の様々な態様に加えてまたはそれらの態様以外に、他の構造、機能、または構造および機能を使用して実施されるそのような装置または方法をカバーするものとする。本明細書で開示される本開示のいずれの態様も、請求項の１つまたは複数の要素によって実施され得ることを理解されたい。
【００１２】
[0029]  「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。
【００１３】
[0030]  本明細書では特定の態様が説明されるが、これらの態様の多くの変形および置換は本開示の範囲内に入る。好適な態様のいくつかの利益および利点が説明されるが、本開示の範囲は特定の利益、使用、または目的に限定されるものではない。むしろ、本開示の態様は、様々なワイヤレス技術、システム構成、ネットワーク、および送信プロトコルに広く適用可能であるものとし、それらのうちのいくつかが例として、図および好適な態様についての以下の説明において示される。発明を実施するための形態および図面は、本開示を限定するものではなく説明するものにすぎず、本開示の範囲は添付の特許請求の範囲およびそれの均等物によって定義される。
【００１４】
[0031]  本明細書で説明される技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡネットワークは、モバイル通信用グローバルシステム（ＧＳＭ（登録商標））などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書で説明される技法は、上記のワイヤレスネットワークおよび無線技術、ならびに他のワイヤレスネットワークおよび無線技術のために使用され得る。明快のために、本技法のいくつかの態様が以下でＬＴＥに関して説明され、以下の説明の大部分でＬＴＥ用語が使用される。
【００１５】
[0032]  シングルキャリア周波数分割多元接続（ＳＣ−ＦＤＭＡ：Single carrier frequency division multiple access）は、送信機側でシングルキャリア変調を利用し、受信機側で周波数領域等化を利用する送信技法である。ＳＣ−ＦＤＭＡは、ＯＦＤＭＡシステムと同様の性能および本質的に同じ全体的な複雑さを有する。ただし、ＳＣ−ＦＤＭＡ信号は、それの固有のシングルキャリア構造のためにより低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において、大きい注目を引いている。それは現在、３ＧＰＰ  ＬＴＥ、ＬＴＥ−Ａ、および発展型ＵＴＲＡにおけるアップリンク多元接続方式に関する実用的な前提である。
【００１６】
[0033]  図１は、本開示の態様が実施され得る、ＬＴＥネットワークまたは何らかの他のワイヤレスネットワークであり得る、ワイヤレス通信ネットワーク１００を示す。ワイヤレスネットワーク１００は、いくつかの発展型ノードＢ（ｅＮＢ）１１０と他のネットワークエンティティとを含み得る。ｅＮＢは、ユーザ機器（ＵＥ）と通信するエンティティであり、基地局、ノードＢ、アクセスポイント（ＡＰ：access point）などと呼ばれることもある。各ｅＮＢは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００１７】
[0034]  ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：closed subscriber group）中のＵＥ）による制限付きアクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨｅＮＢ）と呼ばれることがある。図１に示されている例では、ｅＮＢ１１０ａがマクロセル１０２ａのためのマクロｅＮＢであり、ｅＮＢ１１０ｂがピコセル１０２ｂのためのピコｅＮＢであり、ｅＮＢ１１０ｃがフェムトセル１０２ｃのためのフェムトｅＮＢであり得る。ｅＮＢは、１つまたは複数の（たとえば、３つの）セルをサポートし得る。「ｅＮＢ」、「基地局」、および「セル」という用語は、本明細書では互換的に使用され得る。
【００１８】
[0035]  ワイヤレスネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示されている例では、中継局１１０ｄは、ｅＮＢ１１０ａとＵＥ１２０ｄとの間の通信を可能にするために、マクロｅＮＢ１１０ａおよびＵＥ１２０ｄと通信し得る。中継局はまた、リレーｅＮＢ、リレー基地局、リレーなどと呼ばれることもある。
【００１９】
[0036]  ワイヤレスネットワーク１００は、様々なタイプのｅＮＢ、たとえば、マクロｅＮＢ、ピコｅＮＢ、フェムトｅＮＢ、リレーｅＮＢなどを含む異種ネットワークであり得る。これらの異なるタイプのｅＮＢは、異なる送信電力レベル、異なるカバレージエリア、およびワイヤレスネットワーク１００における干渉に対する異なる影響を有し得る。たとえば、マクロｅＮＢは、高い送信電力レベル（たとえば、５〜４０Ｗ）を有し得るが、ピコｅＮＢ、フェムトｅＮＢ、およびリレーｅＮＢは、より低い送信電力レベル（たとえば、０．１〜２Ｗ）を有し得る。
【００２０】
[0037]  ネットワークコントローラ１３０は、ｅＮＢのセットに結合し得、これらのｅＮＢの協調および制御を行い得る。ネットワークコントローラ１３０はバックホールを介してｅＮＢと通信し得る。ｅＮＢはまた、たとえば、ワイヤレスバックホールまたはワイヤラインバックホール（wireline backhaul）を介して直接または間接的に互いに通信し得る。
【００２１】
[0038]  ＵＥ１２０（たとえば、１２０ａ、１２０ｂ、１２０ｃ）はワイヤレスネットワーク１００全体にわたって分散され得、各ＵＥは固定または移動であり得る。ＵＥは、アクセス端末、端末、移動局（ＭＳ）、加入者ユニット、局（ＳＴＡ）などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブックなどであり得る。
【００２２】
[0039]  図２は、図１中の基地局／ｅＮＢのうちの１つであり得る基地局／ｅＮＢ１１０、および図１中のＵＥのうちの１つであり得るＵＥ１２０の設計のブロック図を示す。基地局１１０はＴ個のアンテナ２３４ａ〜２３４ｔを装備し得、ＵＥ１２０はＲ個のアンテナ２５２ａ〜２５２ｒを装備し得、ここで、概してＴ≧１およびＲ≧１である。
【００２３】
[0040]  基地局１１０において、送信プロセッサ２２０が、１つまたは複数のＵＥについてデータソース２１２からデータを受信し、ＵＥから受信されたチャネル品質インジケータ（ＣＱＩ：channel quality indicator）に基づいて各ＵＥのための１つまたは複数の変調およびコーディング方式（ＭＣＳ：modulation and coding scheme）を選択し、そのＵＥのために選択された（１つまたは複数の）ＭＣＳに基づいて各ＵＥのためのデータを処理（たとえば、符号化および変調）し、すべてのＵＥについてデータシンボルを与え得る。送信プロセッサ２２０はまた、（たとえば、半静的リソース区分情報（ＳＲＰＩ：semi-static resource partitioning information）などのための）システム情報および制御情報（たとえば、ＣＱＩ要求、許可、上位レイヤシグナリングなど）を処理し、オーバーヘッドシンボルおよび制御シンボルを与え得る。プロセッサ２２０はまた、基準信号（たとえば、共通基準信号（ＣＲＳ：common reference signal））および同期信号（たとえば、１次同期信号（ＰＳＳ：primary synchronization signal）および２次同期信号（ＳＳＳ：secondary synchronization signal））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行し得、Ｔ個の出力シンボルストリームをＴ個の変調器（ＭＯＤ）２３２ａ〜２３２ｔに与え得る。各変調器２３２は、出力サンプルストリームを取得するために、（たとえば、ＯＦＤＭなどのために）それぞれの出力シンボルストリームを処理し得る。各変調器２３２はさらに、ダウンリンク信号を取得するために、出力サンプルストリームを処理（たとえば、アナログへの変換、増幅、フィルタ処理、およびアップコンバート）し得る。変調器２３２ａ〜２３２ｔからのＴ個のダウンリンク信号は、それぞれＴ個のアンテナ２３４ａ〜２３４ｔを介して送信され得る。
【００２４】
[0041]  ＵＥ１２０において、アンテナ２５２ａ〜２５２ｒが、基地局１１０および／または他の基地局からダウンリンク信号を受信し得、受信信号をそれぞれ復調器（ＤＥＭＯＤ）２５４ａ〜２５４ｒに与え得る。各復調器２５４は、入力サンプルを取得するために、それの受信信号を調整（たとえば、フィルタ処理、増幅、ダウンコンバート、およびデジタル化）し得る。各復調器２５４は、さらに、受信シンボルを取得するために、（たとえば、ＯＦＤＭなどのために）入力サンプルを処理し得る。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与え得る。受信プロセッサ２５８は、検出されたシンボルを処理（たとえば、復調および復号）し、ＵＥ１２０のための復号されたデータをデータシンク２６０に与え、復号された制御信号およびシステム情報をコントローラ／プロセッサ２８０に与え得る。チャネルプロセッサは、基準信号受信電力（ＲＳＲＰ：reference signal received power）、受信信号強度インジケータ（ＲＳＳＩ：received signal strength indicator）、基準信号受信品質（ＲＳＲＱ：reference signal received quality）、ＣＱＩなどを決定し得る。
【００２５】
[0042]  アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備えるレポートのための）制御情報とを受信し、処理し得る。プロセッサ２６４はまた、１つまたは複数の基準信号のための基準シンボルを生成し得る。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）変調器２５４ａ〜２５４ｒによってさらに処理され、基地局１１０に送信され得る。基地局１１０において、ＵＥ１２０および他のＵＥからのアップリンク信号は、アンテナ２３４によって受信され、復調器２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与え得る。基地局１１０は、通信ユニット２４４を含み、通信ユニット２４４を介してネットワークコントローラ１３０に通信し得る。ネットワークコントローラ１３０は、通信ユニット２９４と、コントローラ／プロセッサ２９０と、メモリ２９２とを含み得る。
【００２６】
[0043]  コントローラ／プロセッサ２４０および２８０は、それぞれ基地局１１０およびＵＥ１２０における動作を指示し得る。基地局１１０におけるプロセッサ２４０ならびに／あるいは他のプロセッサおよびモジュール、ならびに／あるいはＵＥ１２０におけるプロセッサ２８０ならびに／あるいは他のプロセッサおよびモジュールは、本明細書で説明される技法のためのプロセスを実行または指示し得る。メモリ２４２および２８２は、それぞれ基地局１１０およびＵＥ１２０のためのデータおよびプログラムコードを記憶し得る。スケジューラ２４６は、ダウンリンクおよび／またはアップリンク上でのデータ送信のためにＵＥをスケジュールし得る。
【００２７】
[0044]  ＵＥ１２０にデータを送信するとき、基地局１１０は、データ割振りサイズ（data allocation size）に少なくとも部分的に基づいてバンドリングサイズ（bundling size）を決定し、および決定されたバンドリングサイズのバンドル連続リソースブロック（bundled contiguous resource block）中のデータをプリコーディングするように構成され得、ここにおいて、各バンドル中のリソースブロックは共通プリコーディング行列（common precoding matrix）を用いてプリコーディングされ得る。すなわち、リソースブロック中のＵＥ−ＲＳなどの基準信号（ＲＳ）および／またはデータは、同じプリコーダ（precoder）を使用してプリコーディングされ得る。バンドル（bundled）リソースブロック（ＲＢ：resource block）の各ＲＢ中のＵＥ−ＲＳのために使用される電力レベルも同じであり得る。
【００２８】
[0045]  ＵＥ１２０は、基地局１１０から送信されたデータを復号するために、相補的処理を実行するように構成され得る。たとえば、ＵＥ１２０は、連続ＲＢのバンドル中の基地局から送信された受信データのデータ割振りサイズに基づいてバンドリングサイズを決定することと、ここにおいて、各バンドル中のリソースブロック中の少なくとも１つの基準信号が共通プリコーディング行列を用いてプリコーディングされる、決定されたバンドリングサイズと、基地局から送信された１つまたは複数のＲＳとに基づいて、少なくとも１つのプリコードチャネル（precoded channel）を推定することと、推定されたプリコードチャネルを使用して、受信されたバンドルを復号することとを行うように構成され得る。
【００２９】
[0046]  図３は、ＬＴＥにおけるＦＤＤのための例示的なフレーム構造３００を示す。ダウンリンクおよびアップリンクの各々に関する送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示されているように）ノーマルサイクリックプレフィックスの場合は７つのシンボル期間、または拡張サイクリックプレフィックスの場合は６つのシンボル期間を含み得る。各サブフレーム中の２Ｌ個のシンボル期間は０〜２Ｌ−１のインデックスを割り当てられ得る。
【００３０】
[0047]  ＬＴＥでは、ｅＮＢは、ｅＮＢによってサポートされるセルごとにシステム帯域幅の中心１．０８ＭＨｚにおいてダウンリンク上で１次同期信号（ＰＳＳ）と２次同期信号（ＳＳＳ）とを送信し得る。ＰＳＳおよびＳＳＳは、図３に示されているように、それぞれ、ノーマルサイクリックプレフィックスをもつ各無線フレームのサブフレーム０および５中のシンボル期間６および５中で送信され得る。ＰＳＳおよびＳＳＳは、セル探索および捕捉のためにＵＥによって使用され得る。ｅＮＢは、ｅＮＢによってサポートされるセルごとにシステム帯域幅にわたってセル固有基準信号（ＣＲＳ：cell-specific reference signal）を送信し得る。ＣＲＳは、各サブフレームのいくつかのシンボル期間中に送信され得、チャネル推定、チャネル品質測定、および／または他の機能を実行するためにＵＥによって使用され得る。ｅＮＢはまた、いくつかの無線フレームのスロット１中のシンボル期間０〜３中で物理ブロードキャストチャネル（ＰＢＣＨ：physical broadcast channel）を送信し得る。ＰＢＣＨは何らかのシステム情報を搬送し得る。ｅＮＢは、いくつかのサブフレームにおいて物理ダウンリンク共有チャネル（ＰＤＳＣＨ：physical downlink shared channel）上でシステム情報ブロック（ＳＩＢ：system information block）などの他のシステム情報を送信し得る。ｅＮＢは、サブフレームの第１のＢ個のシンボル期間中に、物理ダウンリンク制御チャネル（ＰＤＣＣＨ：physical downlink control channel）上で制御情報／データを送信し得、ここで、Ｂは各サブフレームについて構成可能であり得る。ｅＮＢは、各サブフレームの残りのシンボル期間中に、ＰＤＳＣＨ上でトラフィックデータおよび／または他のデータを送信し得る。
【００３１】
[0048]  ＬＴＥにおけるＰＳＳ、ＳＳＳ、ＣＲＳ、およびＰＢＣＨは、公開されている「Evolved Universal Terrestrial Radio Access (E-UTRA); Physical Channels and Modulation」と題する３ＧＰＰ  ＴＳ３６．２１１に記載されている。
【００３２】
[0049]  図４は、ノーマルサイクリックプレフィックスをもつダウンリンクのための２つの例示的なサブフレームフォーマット４１０および４２０を示す。ダウンリンクのための利用可能な時間周波数リソースは、リソースブロックに区分され得る。各リソースブロックは、１つのスロット中で１２個のサブキャリアをカバーし得、いくつかのリソース要素を含み得る。各リソース要素は、１つのシンボル期間中で１つのサブキャリアをカバーし得、実数値または複素数値であり得る１つの変調シンボルを送るために使用され得る。
【００３３】
[0050]  サブフレームフォーマット４１０は、２つのアンテナを装備したｅＮＢのために使用され得る。ＣＲＳは、シンボル期間０、４、７、および１１中にアンテナ０および１から送信され得る。基準信号は、送信機および受信機によってアプリオリ（a priori）に知られている信号であり、パイロットと呼ばれることもある。ＣＲＳは、たとえば、セル識別情報（ＩＤ）に基づいて生成された、セルに固有の基準信号である。図４では、ラベルＲａをもつ所与のリソース要素について、アンテナａからはそのリソース要素上で変調シンボルが送信され得、他のアンテナからはそのリソース要素上で変調シンボルが送信されないことがある。サブフレームフォーマット４２０は、４つのアンテナを装備したｅＮＢのために使用され得る。ＣＲＳは、シンボル期間０、４、７および１１中にアンテナ０および１から送信され得、シンボル期間１および８中にアンテナ２および３から送信され得る。サブフレームフォーマット４１０と４２０の両方について、ＣＲＳは、セルＩＤに基づいて決定され得る、均等に離間したサブキャリア上で送信され得る。異なるｅＮＢが、それらのセルＩＤに応じて、同じまたは異なるサブキャリア上でそれらのＣＲＳを送信し得る。サブフレームフォーマット４１０と４２０の両方について、ＣＲＳのために使用されないリソース要素が、データ（たとえば、トラフィックデータ、制御データ、および／または他のデータ）を送信するために使用され得る。
【００３４】
[0051]  ＬＴＥにおけるＦＤＤのためのダウンリンクおよびアップリンクの各々について、インターレース構造（interlace structure）が使用され得る。たとえば、０〜Ｑ−１のインデックスをもつＱ個のインターレースが定義され得、ここで、Ｑは、４、６、８、１０、または何らかの他の値に等しくなり得る。各インターレースは、Ｑ個のフレームだけ離間されたサブフレームを含み得る。特に、インターレースｑは、サブフレームｑ、ｑ＋Ｑ、ｑ＋２Ｑなどを含み得、ここで、ｑ∈｛０，．．．，Ｑ−１｝である。
【００３５】
[0052]  ワイヤレスネットワークは、ダウンリンクおよびアップリンク上でのデータ送信のためのハイブリッド自動再送要求（ＨＡＲＱ：hybrid automatic retransmission request）をサポートし得る。ＨＡＲＱの場合、送信機（たとえば、ｅＮＢ１１０）は、パケットが受信機（たとえば、ＵＥ１２０）によって正確に復号されるか、または何らかの他の終了条件が遭遇されるまで、パケットの１つまたは複数の送信を送り得る。同期ＨＡＲＱの場合、パケットのすべての送信は、単一のインターレースのサブフレーム中で送られ得る。非同期ＨＡＲＱの場合、パケットの各送信は、任意のサブフレーム中で送られ得る。
【００３６】
[0053]  ＵＥは、複数のｅＮＢのカバレージ内に位置し得る。これらのｅＮＢのうちの１つが、そのＵＥをサービスするために選択され得る。サービングｅＮＢは、受信信号強度、受信信号品質、経路損失などの様々な基準に基づいて選択され得る。受信信号品質は、信号対干渉プラス雑音比（ＳＩＮＲ：signal-to-interference-plus-noise ratio）、または基準信号受信品質（ＲＳＲＱ：reference signal received quality）、または何らかの他のメトリックによって定量化され得る。ＵＥは、ＵＥが１つまたは複数の干渉ｅＮＢからの高い干渉を観測し得る支配的干渉シナリオにおいて動作し得る。
【００３７】
より高次のＭＵ−ＭＩＭＯのためのＤＭＲＳ拡張
[0054]  ３次元（３Ｄ）ＭＩＭＯは、３ＧＰＰ  Ｒｅｌ−１３において指定され、ロングタームエボリューション（ＬＴＥ）システムを大幅に向上させる可能性を有する。３Ｄ  ＭＩＭＯは、３Ｄ  ＭＩＭＯが（１）水平軸と垂直軸の両方上のアンテナポート（antenna port）をもつ２次元アレイ、および（２）従来のＭＩＭＯに対するより大きい数のＴＸＲＵ（たとえば、トランシーバユニット）の使用をサポートするという点で、従来のＭＩＭＯとは異なる。ＴＸＲＵは、一般に、他のＴＸＲＵから独立して（たとえば、各ＴＸＲＵにおける独立した振幅および位相制御デバイスを介して）振幅および位相を制御し得る。２次元アンテナアレイとともにそのような能力は、一般に、従来のマルチアンテナシステムの場合のように水平方向のみにおいて、および水平方向と垂直方向の両方において同時に、の両方において送信信号がステアリングされることを可能にし、ｅＮＢからＵＥへのビーム方向を整形する際によりフレキシビリティを与える。
【００３８】
[0055]  より高次のマルチユーザ多入力多出力（ＭＵ−ＭＩＭＯ）は、ワイヤレスデバイスが、３Ｄ−ＭＩＭＯによってもたらされるエレベーション次元（elevation dimension）における自由度を十分に活用することを可能にし得る。より高次のＭＵ−ＭＩＭＯを効率的にサポートするために、ＤＭＲＳレイヤ間干渉（inter-layer interference）を低減し、チャネル推定性能（channel estimation performance）を改善するための（たとえば、直交ＤＭＲＳポート多重化を使用する）直交ＤＭＲＳポート多重化を有するために、ＤＭＲＳ拡張が必要とされる。
【００３９】
[0056]  ３Ｄ−ＭＩＭＯ技法と２次元（２Ｄ）アンテナアレイとともに使用され得る２つのタイプのＭＵリソース共有がある。ＵＥが水平方向のみにおいて分離され得るか、またはＵＥが垂直方向と水平方向の両方において分離され得る。そのような方法では、６４個のアンテナポートを用いる３Ｄ−ＭＩＭＯの場合、合計８つのＵＥまたは８レイヤ送信までが可能である。より高次のＭＵ−ＭＩＭＯのサポートのために、ダウンリンク（ＤＬ）制御シグナリングおよびＤＭＲＳ割振りの設計が必要とされる。
【００４０】
[0057]  本開示の態様は、より高次のＭＵ−ＭＩＭＯをサポートするために使用され得るいくつかの直交ＤＭＲＳパターンを提示する。さらに、本開示の態様は、ＤＭＲＳパターンおよびポート指示のための制御シグナリングの送信および受信を与える。本明細書で憤慨する直交ＤＭＲＳパターンおよびシグナリングは、（たとえば、通信のための２Ｄ−ＭＩＭＯ技法を採用する従来のデバイスとの）後方互換性があり（backward compatible）、最小のシグナリングオーバーヘッド（minimum signaling overhead）を有する。
【００４１】
[0058]  図５は、本開示のいくつかの態様による、擬似直交（quasi-orthogonal）復調基準信号（ＤＭＲＳ）構造５００の一例を示す。現在の仕様では、２つの直交ＤＭＲＳポート（たとえば、図５に示されたポート７および８）と２つのスクランブリングシーケンス（scrambling sequence）（たとえば、Ｉｄ０およびＩｄ１）とが、ＭＵ−ＭＩＭＯのために定義される。
【００４２】
[0059]  現在の仕様では、擬似直交ＤＭＲＳ構造５００は、ＭＵ−ＭＩＭＯ送信のために合計４レイヤ以下の送信と、２つの直交ＤＭ−ＲＳポートを用いてＵＥごとに２つ以下のレイヤをサポートする。図５に示されているように、直交ＤＭＲＳポートをもつ１つの符号分割多重化（ＣＤＭ）グループがあり、ＣＤＭグループは長さ２の直交カバーコード（ＯＣＣ）を使用して多重化され得る。いくつかの場合には、ＣＤＭグループは、異なるスクランブリングシーケンスを使用し得る（たとえば、第１のＣＤＭグループがスクランブリングシーケンスＩｄ０を使用し得、第２のＣＤＭグループがスクランブリングシーケンスＩｄ１を使用し得る）。
【００４３】
[0060]  いくつかの場合には、仮想セルＩＤ（ＶＣＩＤ：virtual cell ID）が、４レイヤ超のＭＵ−ＭＩＭＯをサポートするために、ＤＭＲＳシーケンス初期化のために使用され得る。たとえば、ＶＣＩＤは、ＵＥごとに無線リソース制御（ＲＲＣ：radio resource control）シグナリングによって構成され得る。しかしながら、そのような場合、チャネル推定性能は、異なるスクランブリングコード（scrambling code）（またはシーケンス（sequence））によって与えられる直交性（orthogonality）が弱いので、異なるＤＭＲＳレイヤ間の干渉によって劣化され得る。概して、特により高次のＭＵ−ＭＩＭＯの場合、直交ＤＭＲＳ設計が非直交ＤＭＲＳ設計よりも好ましい。したがって、より高いランクの直交ＤＭＲＳパターンが、４レイヤおよび８レイヤＭＵ−ＭＩＭＯのために必要とされ得る。
【００４４】
[0061]  図６は、本開示のいくつかの態様による、ノーマルサイクリックプレフィックス（ＣＰ）をもつ４レイヤＭＵ−ＭＩＭＯ通信のための例示的なＤＭＲＳパターンを示す。４レイヤ直交ＭＵ−ＭＩＭＯのサポートのために、図６に示されているＤＭＲＳパターン設計のための２つのオプション（たとえば、パターン６０２および６０８）が使用され得る。
【００４５】
[0062]  図６に示されているように、ＤＭＲＳパターン６０２では、ＣＤＭと時分割多重化（ＴＤＭ：time division multiplexing）とが、長さ２のＯＣＣを用いて組み合わせられる。ＣＤＭグループ６０４は、レイヤ｛１，２｝またはＤＭＲＳポート｛７，８｝のために割り振られ得、ＣＤＭグループ６０６は、レイヤ｛３，４｝またはＤＭＲＳポート｛１１，１３｝のために割り振られ得る。ＴＤＭは、ＣＤＭグループ６０４とＣＤＭグループ６０６との間で適用され得る。
【００４６】
[0063]  ＤＭＲＳパターン６０８では、長さ４のＯＣＣを使用してレイヤごとに１２個のリソース要素（ＲＥ：resource element）があり得る。図６に示されているように、ＤＭＲＳパターン６０８では、ＣＤＭグループ６１０は、連続しない、時間的に４つのＲＥ上にわたり得る。高ドップラー（high Doppler）において、直交性は失われ、性能損失（performance loss）につながり得る。ＤＭＲＳパターン６０８では、ＣＤＭグループ６１０は、長さ４のＯＣＣを介して、レイヤ｛１，２，３，４｝またはＤＭＲＳポート｛７，８，１１，１３｝のために割り振られ得る。
【００４７】
[0064]  ＤＭＲＳパターン６０８は、各レイヤのための均一なＤＭＲＳ対ＰＤＳＣＨ（物理ダウンリンク共有チャネル）電力比の使用を可能にする。ＤＭＲＳパターン６０８と比較して、２つのＣＤＭグループのＴＤＭにより、３ｄＢのＤＭＲＳ電力ブースティング（power boosting）がＤＭＲＳパターン６０２のために使用される必要があり得る。
【００４８】
[0065]  図７は、本開示のいくつかの態様による、拡張サイクリックプレフィックス（ＣＰ）をもつ４レイヤＭＵ−ＭＩＭＯ通信のための例示的なＤＭＲＳパターンを示す。図７に示されているように、ＤＭＲＳパターン７０２では、ＣＤＭとＴＤＭとが、長さ２のＯＣＣを用いて組み合わせられ得る。ＤＭＲＳパターン７０２では、ＣＤＭグループ７０４は、レイヤ１および２のために割り振られ得、ＣＤＭグループ７０６は、レイヤ３および４のために割り振られ得る。ＴＤＭは、ＣＤＭグループ７０４とＣＤＭグループ７０６との間で適用され得る。ＤＭＲＳパターン７０８では、長さ４のＯＣＣを用いてレイヤごとに１２個のＲＥがあり得る。ＤＭＲＳパターン７０８では、単一のＣＤＭグループ７１０が、長さ４のＯＣＣを介して、レイヤ｛１，２，３，４｝のために割り振られ得る。いくつかの態様では、直交ＴＤＭおよびＦＤＭが、ＣＤＭグループ７０４とＣＤＭグループ７０６との間で適用され得る。
【００４９】
[0066]  図８は、本開示のいくつかの態様による、ノーマルＣＰをもつ８レイヤＭＵ−ＭＩＭＯのための例示的なＤＭＲＳパターン８００を示す。図８に示されているように、８つのＵＥまたは合計８レイヤのＭＵ−ＭＩＭＯがサポートされる場合、直交ＤＭＲＳパターンは、長さ４のＯＣＣを用いてＣＤＭと周波数分割多重化（ＦＤＭ：frequency division multiplexing）とを組み合わせることによって拡張され得る。いくつかの態様では、４レイヤが長さ４のＯＣＣを使用して多重化され得、２つのＣＤＭグループが周波数領域においてさらに多重化され得る。ＵＥの観点から、ＤＭＲＳパターンはＰＤＳＣＨの復調のために１２個のＤＭＲＳ  ＲＥを使用し得るが、ＤＭＲＳロケーションはＣＤＭグループによって決定され得る。図８に示されているように、ＣＤＭグループ８０２は、レイヤ｛１，２，３，４｝またはＤＭＲＳポート｛７，８，１１，１３｝のために割り振られ得、ＣＤＭグループ８０４は、レイヤ｛５，６，７，８｝またはＤＭＲＳポート｛９，１０，１２，１４｝のために割り振られ得る。直交ＴＤＭおよび／またはＦＤＭが、ＣＤＭグループ８０２とＣＤＭグループ８０４との間で適用され得る。
【００５０】
[0067]  いくつかの態様では、第１のＣＤＭグループおよび第２のＣＤＭグループが、時間および周波数領域（time and frequency domain）における同じリソース要素上で非直交多重化（non-orthogonal multiplexed）され得る。第１のＣＤＭグループは第１のスクランブリングシーケンスを使用し得、第２のＣＤＭグループは第２のスクランブリングシーケンスを使用し得る。
【００５１】
ＤＭＲＳパターンおよびポート指示のためのＤＬ制御シグナリング
[0068]  ＤＭＲＳパターン（たとえば、長さ２のＯＣＣを用いたレガシー２レイヤあるいは長さ４のＯＣＣを用いた拡張４レイヤまたは８レイヤ直交パターン）は、各ＵＥのためのＰＤＣＣＨ上で、ＲＲＣによってまたは動的Ｌ１シグナリングを介して、半静的に構成され得る。たとえば、ＤＭＲＳパターン指示のための２ビットシグナリングが利用され得る。パターン「００」は、長さ２のＯＣＣを用いたレガシー擬似直交ＤＭＲＳを示し得、パターン「０１」は、長さ２のＯＣＣを介したＣＤＭ＋ＴＤＭまたは長さ４のＯＣＣを介したＣＤＭのみのいずれかの、１つの拡張４レイヤＤＭＲＳパターンを示し得、パターン「１０」および「１１」は、ＣＤＭグループ１および２（たとえば、図８中のＣＤＭグループ８０２および８０４）の拡張８レイヤＤＭＲＳパターンを示し得る。
【００５２】
[0069]  各構成されたＤＭＲＳパターンのＤＭＲＳオーバーヘッドは異なり得、これは、ＰＤＳＣＨリソースマッピング（resource mapping）のための異なるレートマッチングパターン（rate matching pattern）を生じ得る。たとえば、８レイヤＤＭＲＳパターンが示された場合、ＵＥは、ＰＤＳＣＨレートマッチングのために、１２個のＲＥではなく２４個のＤＭＲＳ  ＲＥを使用し得る。ＤＭＲＳパターンの動的構成は、ネットワークが、より高次のＭＵ−ＭＩＭＯをサポートするためのＵＥのモビリティ（たとえば、ＵＥの速度（speed））および能力に基づいて、ＵＥごとに異なるＤＭＲＳパターン間で動的に切り替わることを可能にし得る。
【００５３】
[0070]  いくつかの場合には、本明細書で説明される拡張ＤＭＲＳパターンは、ＵＥ固有探索空間（specific search space）中にあるＰＤＣＣＨ／ＥＰＤＣＣＨ（拡張ＰＤＣＣＨ）に対してのみ適用可能であり得る。たとえば、共通探索空間（common search spac）中の（Ｅ）ＰＤＣＣＨでは、長さ２のＯＣＣを介したレガシー２レイヤＤＭＲＳパターンは、ＵＥがＲＲＣシグナリングによる拡張ＤＭＲＳパターンで構成される場合でも使用され得る。共通探索空間中でレガシーＤＭＲＳパターンを使用することは、拡張ＤＭＲＳパターンをサポートしないことがあるレガシーＵＥとの後方互換性を与え、拡張ＤＭＲＳパターンをサポートするＵＥがレガシーＵＥと共存することを可能にする。
【００５４】
[0071]  図９は、本開示のいくつかの態様による、ＤＭＲＳパターンおよびポート指示のためのＤＬ制御シグナリングの例を示す。ＤＭＲＳポート指示では、ダウンリンク制御情報（ＤＣＩ）フォーマット中の既存の３ビットフィールドが再利用され得るが、コンテンツは構成されたＤＭＲＳパターンによって決定され得る。たとえば、レガシーＤＭＲＳパターンが構成された場合、ＵＥは、ＤＭＲＳポートおよびレイヤの数の指示（indication）を決定するために、表９０２を使用し得る。表９０４は、拡張４レイヤ、または８レイヤＤＭＲＳパターンのＣＤＭグループ１（たとえば、図８中のＣＤＭグループ８０２）のために使用され得る。
【００５５】
[0072]  表９０２と表９０４との間の差は、擬似直交ＤＭＲＳ（たとえば、スクランブリングＩＤ＝０／１）が表９０２において使用され得るが、直交ＤＭＲＳポートが表９０４において仮定され得るということである。図９に示されているように、表９０２は、レガシーＭＵ  ＤＭＲＳパターンのための（１つまたは複数の）アンテナポート、スクランブリング識別情報（scrambling identity）およびレイヤの数の指示を与え、表９０４は、拡張ＭＵ  ＤＭＲＳパターンのための（１つまたは複数の）アンテナポートおよびレイヤの数の指示を与える。
【００５６】
[0073]  本開示のいくつかの態様によれば、ＤＭＲＳパターンとアンテナポートインデックスとのジョイント指示（joint indication）は、Ｌ１制御シグナリングを介して各ＵＥに送信され得る。たとえば、１ビットが（たとえば、１２個または２４個のＤＭＲＳ  ＲＥの使用を示すための）ＰＤＳＣＨレートマッチング指示（rate matching indication）のために使用され得、別の４ビットがＤＭＲＳパターンおよびポート指示のために使用され得る。
【００５７】
[0074]  ＤＭＲＳパターンおよびポート指示のジョイントコーディングの例が、図１０からの表１０００に、および図１１からの表１１００によって示されている。図１０は、本開示のいくつかの態様による、１つのコードワードが有効にされたジョイントＤＭＲＳパターンおよびポート指示の例を示す。図１１は、本開示のいくつかの態様による、２つのコードワードが有効にされたジョイントＤＭＲＳパターンおよびポート指示の例を示す。たとえば、１つのコードワードを使用するジョイントＤＭＲＳおよびポート指示の場合、図１０中の表１０００に示されているように、ランク１の８つの直交ＤＭＲＳポートに対応する８つのＭＵ状態がある。２つのコードワードを使用するジョイントＤＭＲＳおよびポート指示の場合、図１１中の表１１００に示されているように、４つのランク２のケースと、１つのランク３のケースと、１つのランク４のケースとに対応する６つのＭＵ状態がある。いくつかの態様では、ポート指示に基づいて、ＵＥは、割り当てられたＤＭＲＳポートと、総ＤＲＭリソースと、ＭＵのための直交ＤＲＭポートの最大数とを知り得る。
【００５８】
ＤＲＭＳとＯＣＣとのマッピング
[0075]  ＤＭＲＳポート｛７，８，９，１０｝のためのＯＣＣ（直交カバーコード）マッピングでは、現在の方法が後方互換性のために再利用され得る。たとえば、ＯＣＣ設計は、ポート７および９のための長さ２のウォルシュコード（Walsh code）（１  １）ならびにポート８および１０のための長さ２のウォルシュコード（１  −１）、または（１，１，１，１）および（１  −１  １  −１）の長さ４のウォルシュコードに基づき得る。いくつかの態様では、サブキャリアごとにマッピング方向を反転させることによって、２Ｄ直交マッピングが達成され得る。
【００５９】
[0076]  いくつかの態様では、ＤＭＲＳポート｛１１，１３，１２，１４｝の場合、ＳＵ−ＭＩＭＯのランク５〜８のためのＯＣＣおよびマッピングパターンを再利用することが可能であり得る。たとえば、長さ４のウォルシュコード｛１，１，−１，−１｝および｛１，−１，−１，１｝は、ポート１１および１３のために使用され得、長さ４のウォルシュコード｛−１，−１，１，１｝および｛−１，１，１，−１｝は、ポート１２および１４のために使用され得る。しかしながら、ＤＭＲＳポート７および１１のみがシーケンス｛１，１，１，１｝および｛１，１，−１，−１｝を使用して構成された場合、高ドップラーにおいて、ＣＤＭが、連続しない、時間的に４つのＲＥ上にあるので、直交性の損失による強いレイヤ間干渉がある。
【００６０】
[0077]  同様のレイヤ間干渉が、ＤＭＲＳポート｛８，１３｝、｛９，１２｝、または｛１０，１４｝についても観測され得る。ＤＭＲＳポート｛７，１３｝または｛８，１１｝の場合、２つのシーケンス｛１，１，１，１｝および｛１，−１，−１，１｝または｛１，−１，１，−１｝および｛１，１，−１，−１｝も、ＣＤＭ長さ２を用いて直交であるので、そのような問題はないことに留意されたい。
【００６１】
[0078]  ＤＭＲＳポートのレイヤ間干渉を最小限に抑えるために、１つの手法は、ＤＭＲＳポート｛１１，１３，１２，１４｝のためのＯＣＣが周波数領域上で２つの拡散シーケンス（spreading sequence）間で切り替えられるように、周波数領域におけるレイヤシフト（layer shift）を追加することを含み得、ここで、第２の拡散シーケンスは第１の拡散シーケンスのサイクリックシフトバージョン（cyclic shift version）である。たとえば、ＤＭＲＳポート１１の場合、拡散シーケンス｛１，１，−１，−１｝と拡散シーケンス｛１，−１，−１，１｝との間で周波数切替えが実行され得る。
【００６２】
[0079]  図１２は、本開示のいくつかの態様による、ＤＭＲＳポート｛１１，１２，１３，１４｝のためのＤＭＲＳとＯＣＣとのマッピングの例を示す。周波数直交性（frequency orthogonality）を保持するために、マッピング方向を予約することはまた、第２および第４のサブキャリアに対して使用され、その結果、各ＤＭＲＳポートについて合計４つの拡散シーケンスが生じ得る。図１２に示されているように、第２の拡散シーケンス｛ｄ，ｃ，ｂ，ａ｝は、第１の拡散シーケンス｛ａ，ｂ，ｃ，ｄ｝の時間反転バージョンであり得、第３の拡散シーケンス｛ｂ，ｃ，ｄ，ａ｝は、第１の拡散シーケンスの左サイクリックシフトバージョンであり得、第４の拡散シーケンス｛ａ，ｄ，ｃ，ｂ｝は、第３の拡散シーケンスの時間反転バージョンまたは第２の拡散シーケンスの右サイクリックシフトバージョンであり得る。
【００６３】
ＰＲＢバンドリング
[0080]  図１３は、本開示のいくつかの態様による、プリコーディングリソースブロック（ＰＲＢ）バンドリングの一例１３００を示す。プリコーディング行列インジケータ／ランクインジケータ（ＰＭＩ／ＲＩ：Pre-coding Matrix Indicator/Rank Indicator）フィードバックが、同じプリコーダが複数のＰＲＢ中で適用されるとＵＥが仮定することができるように構成されるとき、ＰＲＢバンドリングが使用され得る。プリコーディングＲＢグループ（ＰＲＧ）は、固定であり、連続するＰＲＢを備え得る。境界は、ＵＥ割振りに依存しないセル固有であり得る。ＰＲＢバンドリングは、ＰＲＧにわたってジョイントチャネル推定（joint channel estimation）を使用することによって、チャネル推定性能を改善することができる。
【００６４】
[0081]  ＭＵ−ＭＩＭＯでは、特に３つ以上の直交ポートがサポートされるとき、共同スケジュールされたＵＥ（co-scheduled user equipment）のためのＲＢバンドリング仮定に関する１つの問題がある。単純なソリューションは、ＰＲＧ中に異なるＵＥペアリング（pairing）があり得るので、共同スケジュールされたＵＥのためのバンドリングがないとＵＥが仮定することであり得る。共同スケジュールされたＵＥのためのバンドリングがないと仮定することは、ｅＮＢスケジューリングに対する制限を課さないことがあるので、これは簡単なソリューションである。しかしながら、ＯＣＣマッピングの周波数直交性は、干渉するレイヤのためのプリコーダが１つのＰＲＧ中のＲＢにわたって変化し得るので、ＰＲＢにわたって有効でないことがある。これは、周波数直交性（たとえば、周波数ＯＣＣ拡散（frequency OCC dispreading））が（たとえば、高ドップラーにおける）チャネル推定のために使用されるとき、エッジトーン（edge tone）のためのチャネル推定性能を劣化させ得る。
【００６５】
[0082]  図１４は、本開示のいくつかの態様による、１つのプリコーディングＲＢグループ（ＰＲＧ）中に２つのＲＢをもつＰＲＢバンドリング１４００の一例を示す。図１４に示されているように、ＲＢ０およびＲＢ１上の異なるＵＥペアリングとともに、２つのＰＲＢをもつ１つのＰＲＧが考慮される。この場合、２つのＲＢにわたるエッジトーンのチャネル推定では、異なるプリコーダが一般にＲＢ０とＲＢ１との間でＤＭＲＳポート１１のために使用されるので、周波数ＯＣＣ拡散が使用されず、その結果、周波数直交性の損失が生じ得る。
【００６６】
[0083]  本開示の態様は、共同スケジュールされたＵＥに割り当てられた他の直交ポートのためのＰＲＢバンドリングについて、いくつかの仮定を与える。本開示の一態様では、ＵＥは、共同スケジュールされたＵＥのための同じバンドリング境界（bundling boundary）の使用を仮定し得る。たとえば、ＵＥは、５／１０／２０ＭＨｚについて２／３／２個のＲＢのバンドリング境界など、バンドリング境界が固定であり、システム帯域幅に依存すると仮定し得る。共同スケジュールされたＵＥのための同じバンドリング境界の使用を仮定することは、同じＵＥペアリングがＰＲＧのバンドルＲＢ（bundled RB）に適用されると仮定されるので、スケジューリング制約（scheduling constraint）を追加し得る。別の態様では、ＵＥは、使用されるＤＭＲＳポートと共同スケジュールされたＵＥの他のＤＭＲＳポートの両方のための２つのＲＢ境界など、より高いレベルのシグナリングを使用して構成されるバンドリング境界を使用し得る。この手法は、チャネル推定性能とスケジューリング制約との間のトレードオフを達成し得、ｅＮＢ実装形態のためによりフレキシビリティを与え得る。
【００６７】
[0084]  図１５は、本開示のいくつかの態様による、発展型ノードＢ（ｅＮＢ）または基地局（ＢＳ）において実行され得る例示的な動作１５００を示す。動作１５００は、たとえば、図２からのｅＮＢ１１０の（１つまたは複数の）プロセッサ２４０、２３０、および／または２３８において実行され得る。動作１５００および本開示の他の態様がＬＴＥ−Ａシステムに関して説明されるが、本明細書で説明される技法は、他の好適なＭＩＭＯシステムに適用可能である。
【００６８】
[0085]  動作１５００は、１５０２において、複数のユーザ機器（ＵＥ）への送信のための、送信アンテナの多次元アレイの複数のポートと空間多重化されたレイヤの数とを決定することによって開始し得る。１５０４において、直交カバーコード（ＯＣＣ）と１つまたは複数の符号分割多重化（ＣＤＭ）グループとを使用して、復調基準信号（ＤＭＲＳ）パターン中でレイヤまたはポートを多重化することによって、直交ＤＭＲＳパターンを構成する。１５０６において、多重化されたレイヤおよびポートを使用して、構成されたＤＭＲＳパターンに基づいて、ＤＭＲＳシンボルを送信する。
【００６９】
[0086]  本開示の一態様では、上記で説明されたように（たとえば、図６中のＤＭＲＳパターン６０２）、ＯＣＣは長さ２のＯＣＣを備え得る。１つまたは複数のＣＤＭグループは、レイヤの第１のペアまたはポートの第１のペアに割り振られた第１のＣＤＭグループと、レイヤの第２のペアまたはポートの第２のペアに割り振られた第２のＣＤＭグループとを備え得、ＴＤＭは、第１のＣＤＭグループと第２のＣＤＭグループとの間で適用され得る。別の態様では（たとえば、図７中のＤＭＲＳパターン７０２）、ＯＣＣは長さ２のＯＣＣを備え得る。１つまたは複数のＣＤＭグループは、レイヤの第１のペアに割り振られた第１のＣＤＭグループと、レイヤの第２のペアに割り振られた第２のＣＤＭグループとを備え得る。ＴＤＭは、第１のＣＤＭグループと第２のＣＤＭグループとの間で適用され得、第１のＣＤＭグループは、第２のＣＤＭグループに対して周波数においてシフトされ得る。
【００７０】
[0087]  また別の態様では、上記で説明されたように（たとえば、図６中のＤＭＲＳパターン６０８）、ＯＣＣは長さ４のＯＣＣを備え得、１つまたは複数のＣＤＭグループは、時間領域（time domain）における４つの不連続（noncontiguous）リソース要素（ＲＥ：resource element）にわたる４つのレイヤまたは４つのポートに割り振られた単一のＣＤＭグループを備え得る。また別の態様では（たとえば、図７中のＤＭＲＳパターン７０８）、ＯＣＣは長さ４のＯＣＣを備え得る。１つまたは複数のＣＤＭグループは、時間領域における４つの不連続リソース要素（ＲＥ）にわたる４つのレイヤに割り振られた単一のＣＤＭグループを備え得、４つのＲＥのうちの２つは、４つのＲＥのうちの他の２つに対して周波数シフトされ得る。
【００７１】
[0088]  また別の態様では、上記で説明されたように（たとえば、図８中のＤＭＲＳパターン８００）、ＯＣＣは長さ４のＯＣＣを備え得る。１つまたは複数のＣＤＭグループは、時間領域における４つの不連続リソース要素（ＲＥ）にわたる４つのレイヤまたは４つのポートの第１のセットに割り振られた第１のＣＤＭグループと、時間領域における４つの不連続ＲＥにわたる４つのレイヤまたは４つのポートの第２のセットに割り振られた第２のＣＤＭグループとを備え得、周波数分割多重化（ＦＤＭ）が、第１のＣＤＭグループと第２のＣＤＭグループとの間で適用され得る。
【００７２】
[0089]  本開示の一態様では、ＢＳは、複数のＵＥに、無線リソース制御（ＲＲＣ）シグナリングを使用して、構成されたＤＭＲＳパターンに関する指示（indication）を与え得る。別の態様では、ＢＳは、複数のＵＥに、各ＵＥのための物理ダウンリンク制御チャネル（ＰＤＣＣＨ）上で動的Ｌ１シグナリングを使用して、構成されたＤＭＲＳパターンに関する指示を与え得る。いくつかの場合には、構成されたＤＭＲＳパターンに関する指示は、第１および第２のＣＤＭグループのために使用される多重化のタイプ（type of multiplexing）を示す第１のデータと、ＯＣＣの長さ（たとえば、ＤＭＲＳパターンが長さ２のＯＣＣを使用するのか、長さ４のＯＣＣを使用するのか）を示す第２のデータとを含み得る。
【００７３】
[0090]  いくつかの態様では、上記で説明されたように、構成されたＤＭＲＳパターンは、たとえば、複数のユーザ機器（ＵＥ）のうちのＵＥの速度、またはより高次のマルチユーザ多入力多出力（ＭＵ−ＭＩＭＯ）通信をサポートするためのＵＥ能力に基づいて、動的に切り替えられ得る。一態様では、ＢＳは、物理ダウンリンク制御チャネル（ＰＤＣＣＨ）上でＬ１制御シグナリングを使用して、ＤＭＲＳシンボルを送信するための、送信アンテナの多次元アレイのポートとレイヤの数とに関する指示を通信し得る。
【００７４】
[0091]  いくつかの態様では、上記で説明されたように、ＢＳは、Ｌ１制御シグナリングを使用して、構成されたＤＭＲＳパターンと送信アンテナの多次元アレイのポートとのジョイント指示を通信し得る。たとえば、ジョイント指示は、物理ダウンリンク共有チャネル（ＰＤＳＣＨ）レートマッチング情報のための１ビットと、構成されたＤＭＲＳパターンおよび送信アンテナの多次元アレイのポートを示す４ビットとを備え得る。
【００７５】
[0092]  いくつかの態様では、上記で説明されたように、ＯＣＣは、シーケンス｛ａ，ｂ，ｃ，ｄ｝によって示される長さ４のウォルシュコードを備え得、周波数領域においてＯＣＣと第２のＯＣＣとの間で切替えが実行され得る。第２のＯＣＣは、長さ４のウォルシュコードのサイクリックシフトバージョンであり得る。たとえば、第２のＯＣＣは、シーケンス｛ｂ，ｃ，ｄ，ａ｝によって示される長さ４のウォルシュコードを備え得る。
【００７６】
[0093]  いくつかの態様では、上記で説明されたように（たとえば、図１２に示されているＤＭＲＳパターン）、ＯＣＣは、ＤＭＲＳパターンの第１のサブキャリアのために使用され得る。ＯＣＣの時間反転バージョンであり得る第２のＯＣＣが、ＤＭＲＳパターンの第２のサブキャリアのために使用され得る。ＯＣＣの左サイクリックシフトであり得る第３のＯＣＣが、ＤＭＲＳパターンの第３のサブキャリアのために使用され得る。最後に、ＯＣＣの右サイクリックシフトであり得る第４のＯＣＣが、ＤＭＲＳパターンの第４のサブキャリアのために使用され得る。たとえば、図１２に示されているように、ＯＣＣは、シーケンス｛ａ，ｂ，ｃ，ｄ｝によって示される長さ４のウォルシュコードを備え得、第２のＯＣＣは、シーケンス｛ｄ，ｃ，ｂ，ａ｝によって示される長さ４のウォルシュコードを備え得、第３のＯＣＣは、シーケンス｛ｂ，ｃ，ｄ，ａ｝によって示される長さ４のウォルシュコードを備え得、第４のＯＣＣは、シーケンス｛ａ，ｄ，ｃ，ｂ｝によって示される長さ４のウォルシュコードを備え得る。
【００７７】
[0094]  いくつかの態様では、ＢＳは、ＤＭＲＳシンボルを送信するために使用される複数のバンドルリソースブロック（ＲＢ）のために、複数のＵＥのうちのいくつかのＵＥをスケジュールし得る。ＢＳにおいて、同じプリコーダが複数のバンドルＲＢに適用され得る。ＢＳは、共同スケジュールされたＵＥに、複数のバンドルＲＢのサイズに関する指示を与え得る。
【００７８】
[0095]  図１６は、本開示のいくつかの態様による、ユーザ機器（ＵＥ）において実行され得る例示的な動作１６００を示す。これらの動作１６００は、たとえば、図２からのＵＥ１２０の（１つまたは複数の）プロセッサ２５８、２８０、および／または２６４において実行され得る。動作１６００および本開示の他の態様がＬＴＥ−Ａシステムに関して説明されるが、本明細書で説明される技法は、他の好適なＭＩＭＯシステムに適用可能である。
【００７９】
[0096]  動作１６００は、１６０２において開始し得、ここで、ＵＥが、基地局（ＢＳ）から、直交復調基準信号（ＤＭＲＳ）パターンを示すダウンリンク（ＤＬ）制御シグナリングを受信する。１６０４において、ＵＥは、ＤＬ制御シグナリングに基づいて、ＤＭＲＳシンボル送信のための、アンテナの多次元アレイのポートと空間多重化レイヤとを決定し、ポートおよびレイヤは、直交カバーコード（ＯＣＣ）および１つまたは複数の符号分割多重化（ＣＤＭ）グループを使用して、直交ＤＭＲＳパターン中で多重化される。１６０６において、ＵＥは、決定に基づいてＤＭＲＳシンボルを受信する。
【００８０】
[0097]  本開示の一態様では、ＵＥは、無線リソース制御（ＲＲＣ）シグナリングを介して、ＤＭＲＳパターンに関する指示を受信し得る。別の態様では、ＵＥは、物理ダウンリンク制御チャネル（ＰＤＣＣＨ）上で動的Ｌ１シグナリングを介して、ＤＭＲＳパターンに関する指示を受信し得る。また別の態様では、ＵＥは、物理ダウンリンク制御チャネル（ＰＤＣＣＨ）上でＬ１制御シグナリングを使用して、ＤＭＲＳシンボルを送信するための、アンテナの多次元アレイのポートとレイヤの数とに関する指示を受信し得る。
【００８１】
[0098]  いくつかの態様では、ＵＥは、Ｌ１制御シグナリングを使用して、ＤＭＲＳパターンとアンテナの多次元アレイのポートとのジョイント指示を受信し得る。一態様では、ジョイント指示は、物理ダウンリンク共有チャネル（ＰＤＳＣＨ）レートマッチング情報のための１ビットと、構成されたＤＭＲＳパターンおよび送信アンテナの多次元アレイのポートを示す４ビットとを備え得る。
【００８２】
[0099]  一態様では、ＵＥは、共同スケジュールされたユーザ機器（ＵＥ）のための同じバンドリング境界に基づいて、複数のバンドルリソースブロック（ＲＢ）内で受信されたＤＭＲＳシンボルを処理し得る。同じプリコーダが複数のバンドルＲＢ内の各ポートのために使用されていることがある。別の態様では、ＵＥは、より高いレイヤ構成されたバンドリング境界に基づいて、複数のバンドルリソースブロック（ＲＢ）中で受信されたＤＭＲＳシンボルを処理し得る。同じプリコーダが複数のバンドルＲＢ内の各ポートのために使用されていることがある。
【００８３】
[00100]  上記で説明された方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々な（１つまたは複数の）ハードウェアおよび／またはソフトウェア構成要素および／またはモジュールを含み得る。概して、図に示されている動作がある場合、それらの動作は、同様の番号をもつ対応するカウンターパートのミーンズプラスファンクション構成要素を有し得る。たとえば、図１５および図１６に示されている動作１５００および動作１６００は、図１５Ａおよび図１６Ａに示されている手段１５００Ａおよび手段１６００Ａに対応する。
【００８４】
[00101]  本明細書で使用される「決定すること（determining）」という用語は、多種多様なアクションを包含する。たとえば、「決定すること」は、計算すること、算出すること、処理すること、導出すること、調査すること、ルックアップすること（たとえば、テーブル、データベースまたは別のデータ構造においてルックアップすること）、確認することなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。
【００８５】
[00102]  本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００８６】
[00103]  情報および信号は多種多様な技術および技法のうちのいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８７】
[00104]  さらに、本明細書の開示に関して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップが、上記では概してそれらの機能に関して説明された。そのような機能がハードウェアとして実装されるか、ソフトウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【００８８】
[00105]  本開示に関連して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８９】
[00106]  本開示に関連して説明された方法またはアルゴリズムのステップは、ハードウェアで直接実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例としては、ランダムアクセスメモリ（ＲＡＭ）、読取り専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【００９０】
[00107]  本明細書で開示される方法は、説明された方法を達成するための１つまたは複数のステップまたはアクションを備える。本方法のステップおよび／またはアクションは、特許請求の範囲から逸脱することなく、互いに交換され得る。言い換えれば、ステップまたはアクションの特定の順序が指定されない限り、特定のステップおよび／またはアクションの順序および／または使用は特許請求の範囲から逸脱することなく変更され得る。
【００９１】
[00108]  説明された機能は、ハードウェア、ソフトウェア、ファームウェア、またはそれらの任意の組合せで実装され得る。ハードウェアで実装される場合、例示的なハードウェア構成はワイヤレスノード中に処理システムを備え得る。処理システムは、バスアーキテクチャを用いて実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹレイヤの信号処理機能を実装するために使用され得る。ユーザ端末の場合、ユーザインターフェース（たとえば、キーパッド、ディスプレイ、マウス、ジョイスティックなど）もバスに接続され得る。バスはまた、タイミングソース、周辺機器、電圧調整器、電力管理回路など、様々な他の回路をリンクし得るが、それらは当技術分野でよく知られており、したがってこれ以上説明されない。
【００９２】
[00109]  プロセッサは、機械可読媒体に記憶されたソフトウェアの実行を含む、バスおよび一般的な処理を管理することを担当し得る。プロセッサは、１つまたは複数の汎用および／または専用プロセッサを用いて実装され得る。例としては、マイクロプロセッサ、マイクロコントローラ、ＤＳＰプロセッサ、およびソフトウェアを実行することができる他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、または他の好適な記憶媒体、あるいはそれらの任意の組合せを含み得る。機械可読媒体はコンピュータプログラム製品において実施され得る。コンピュータプログラム製品はパッケージング材料を備え得る。
【００９３】
[00110]  ハードウェア実装形態では、機械可読媒体は、プロセッサとは別個の処理システムの一部であり得る。しかしながら、当業者なら容易に諒解するように、機械可読媒体またはその任意の部分は処理システムの外部にあり得る。例として、機械可読媒体は、すべてバスインターフェースを介してプロセッサによってアクセスされ得る、伝送線路、データによって変調された搬送波、および／またはワイヤレスノードとは別個のコンピュータ製品を含み得る。代替的に、または追加として、機械可読媒体またはその任意の部分は、キャッシュおよび／または汎用レジスタファイルがそうであり得るように、プロセッサに統合され得る。
【００９４】
[00111]  処理システムは、すべて外部バスアーキテクチャを介して他のサポート回路と互いにリンクされる、プロセッサ機能を提供する１つまたは複数のマイクロプロセッサと、機械可読媒体の少なくとも一部分を提供する外部メモリとをもつ汎用処理システムとして構成され得る。代替的に、処理システムは、プロセッサをもつＡＳＩＣ（特定用途向け集積回路）と、バスインターフェースと、アクセス端末）の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の好適な回路、または本開示全体にわたって説明された様々な機能を実行することができる回路の任意の組合せを用いて、実装され得る。当業者は、特定の適用例と、全体的なシステムに課される全体的な設計制約とに応じて、どのようにしたら処理システムについて説明された機能を最も良く実装し得るかを理解されよう。
【００９５】
[00112]  機械可読媒体はいくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス中に常駐するか、または複数の記憶デバイスにわたって分散され得る。例として、トリガイベントが発生したとき、ソフトウェアモジュールがハードドライブからＲＡＭにロードされ得る。ソフトウェアモジュールの実行中、プロセッサは、アクセス速度を高めるために、命令のいくつかをキャッシュにロードし得る。次いで、１つまたは複数のキャッシュラインが、プロセッサによる実行のために汎用レジスタファイルにロードされ得る。以下でソフトウェアモジュールの機能に言及する場合、そのような機能は、そのソフトウェアモジュールからの命令を実行したときにプロセッサによって実装されることが理解されよう。
【００９６】
[00113]  ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ディスク（disk）は、通常、データを磁気的に再生し、ディスク（disc）は、データをレーザーで光学的に再生する。したがって、いくつかの態様では、コンピュータ可読媒体は非一時的コンピュータ可読媒体（たとえば、有形媒体）を備え得る。さらに、他の態様では、コンピュータ可読媒体は一時的コンピュータ可読媒体（たとえば、信号）を備え得る。上記の組合せもコンピュータ可読媒体の範囲内に含まれるべきである。
【００９７】
[00114]  したがって、いくつかの態様は、本明細書で提示された動作を実行するためのコンピュータプログラム製品を備え得る。たとえば、そのようなコンピュータプログラム製品は、本明細書で説明された動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００９８】
[00115]  さらに、本明細書で説明された方法および技法を実行するためのモジュールおよび／または他の適切な手段は、適用可能な場合にユーザ端末および／または基地局によってダウンロードされ、および／または他の方法で取得され得ることを諒解されたい。たとえば、そのようなデバイスは、本明細書で説明された方法を実行するための手段の転送を可能にするためにサーバに結合され得る。代替的に、本明細書で説明された様々な方法は、ユーザ端末および／または基地局が記憶手段（たとえば、ＲＡＭ、ＲＯＭ、コンパクトディスク（ＣＤ）またはフロッピーディスクなどの物理記憶媒体など）をデバイスに結合するかまたは与えると様々な方法を得ることができるように、記憶手段によって提供され得る。その上、本明細書で説明された方法および技法をデバイスに提供するための任意の他の好適な技法が利用され得る。
【００９９】
[00116]  特許請求の範囲は、上記で示された厳密な構成および構成要素に限定されないことを理解されたい。上記で説明された方法および装置の構成、動作および詳細において、特許請求の範囲から逸脱することなく、様々な改変、変更および変形が行われ得る。
以下に、本願の出願当初の特許請求の範囲に記載された発明を付記する。
［Ｃ１］
基地局（ＢＳ）によるワイヤレス通信のための方法であって、
複数のユーザ機器（ＵＥ）への送信のための、送信アンテナの多次元アレイの複数のポートと空間多重化されたレイヤの数とを決定することと、
直交カバーコード（ＯＣＣ）と１つまたは複数の符号分割多重化（ＣＤＭ）グループとを使用して、復調基準信号（ＤＭＲＳ）パターン中で前記レイヤまたは前記ポートを多重化することによって、前記ＤＭＲＳパターンを構成することと、
前記多重化されたレイヤおよび前記ポートを使用して、前記構成されたＤＭＲＳパターンに基づいて、ＤＭＲＳシンボルを送信することとを備える、方法。
［Ｃ２］
前記ＯＣＣが長さ２のＯＣＣを備え、
前記１つまたは複数のＣＤＭグループが、レイヤの第１のペアまたはポートの第１のペアに割り振られた第１のＣＤＭグループと、レイヤの第２のペアまたはポートの第２のペアに割り振られた第２のＣＤＭグループとを備え、
前記第１のＣＤＭグループおよび前記第２のＣＤＭグループが、時間および周波数領域における同じリソース要素上で非直交多重化され、
前記第１のＣＤＭグループが前記第２のＣＤＭグループとは異なるスクランブリングシーケンスを使用する、Ｃ１に記載の方法。
［Ｃ３］
前記ＯＣＣが長さ２のＯＣＣを備え、
前記１つまたは複数のＣＤＭグループが、レイヤの第１のペアまたはポートの第１のペアに割り振られた第１のＣＤＭグループと、レイヤの第２のペアまたはポートの第２のペアに割り振られた第２のＣＤＭグループとを備え、
直交時分割多重化（ＴＤＭ）および周波数分割多重化（ＦＤＭ）が、前記第１のＣＤＭグループと前記第２のＣＤＭグループとの間で適用される、Ｃ１に記載の方法。
［Ｃ４］
前記ＯＣＣが長さ４のＯＣＣを備え、
前記１つまたは複数のＣＤＭグループが、時間領域における４つの不連続リソース要素（ＲＥ）にわたる４つのレイヤまたは４つのポートに割り振られた単一のＣＤＭグループを備える、Ｃ１に記載の方法。
［Ｃ５］
前記ＯＣＣが長さ４のＯＣＣを備え、
前記１つまたは複数のＣＤＭグループが、
時間領域における４つの不連続リソース要素（ＲＥ）にわたる４つのレイヤまたは４つのポートの第１のセットに割り振られた第１のＣＤＭグループと、
時間領域における前記４つの不連続ＲＥにわたる４つのレイヤまたは４つのポートの第２のセットに割り振られた第２のＣＤＭグループとを備え、
前記第１のＣＤＭグループおよび前記第２のＣＤＭグループが、時間および周波数領域における同じリソース要素上で非直交多重化され、ここにおいて、前記第１のＣＤＭグループが第１のスクランブリングシーケンスを使用し、前記第２のＣＤＭグループが第２のスクランブリングシーケンスを使用する、Ｃ１に記載の方法。
［Ｃ６］
前記複数のＵＥに、無線リソース制御（ＲＲＣ）シグナリングを使用して、前記構成されたＤＭＲＳパターンに関する指示を与えることをさらに備える、Ｃ１に記載の方法。
［Ｃ７］
前記指示が、
第１および第２のＣＤＭグループのために使用される多重化のタイプを示す第１のデータと、
前記ＯＣＣの長さを示す第２のデータとを備える、Ｃ６に記載の方法。
［Ｃ８］
前記複数のユーザ機器（ＵＥ）のうちの１ＵＥの速度、またはより高次のマルチユーザ多入力多出力（ＭＵ−ＭＩＭＯ）通信をサポートするための前記ＵＥの能力に基づいて、前記構成されたＤＭＲＳパターンを動的に切り替えることをさらに備える、Ｃ１に記載の方法。
［Ｃ９］
物理ダウンリンク制御チャネル（ＰＤＣＣＨ）上でＬ１制御シグナリングを使用して、前記ＤＭＲＳシンボルを送信するための、送信アンテナの前記多次元アレイの前記ポートとレイヤの前記数とに関する指示を通信することをさらに備える、Ｃ１に記載の方法。
［Ｃ１０］
Ｌ１制御シグナリングを使用して、前記構成されたＤＭＲＳパターンと送信アンテナの前記多次元アレイの前記ポートとのジョイント指示を通信することをさらに備える、Ｃ１に記載の方法。
［Ｃ１１］
前記ジョイント指示が、物理ダウンリンク共有チャネル（ＰＤＳＣＨ）レートマッチング指示のための１ビットと、前記構成されたＤＭＲＳパターンおよび送信アンテナの前記多次元アレイの前記ポートを示す４ビットとを備える、Ｃ１０に記載の方法。
［Ｃ１２］
前記ＯＣＣが、シーケンス｛ａ，ｂ，ｃ，ｄ｝によって示される長さ４のウォルシュコードを備え、前記方法が、
周波数領域上で、前記ＯＣＣと他のＯＣＣとの間で切り替えることをさらに備え、ここにおいて、前記他のＯＣＣが前記長さ４のウォルシュコードのサイクリックシフトバージョンである、Ｃ１に記載の方法。
［Ｃ１３］
前記他のＯＣＣが、前記シーケンス｛ｂ，ｃ，ｄ，ａ｝によって示される長さ４のウォルシュコードを備える、Ｃ１２に記載の方法。
［Ｃ１４］
前記ＤＭＲＳシンボルを送信するために使用される複数のバンドルリソースブロック（ＲＢ）のために、前記複数のＵＥのうちのＵＥをスケジュールすることと、
前記複数のバンドルＲＢに同じプリコーダを適用することと、
前記共同スケジュールされたＵＥに、前記複数のバンドルＲＢのサイズに関する指示を与えることとをさらに備える、Ｃ１に記載の方法。
［Ｃ１５］
ｅノードＢによるワイヤレス通信のための装置であって、
複数のユーザ機器（ＵＥ）への送信のための、送信アンテナの多次元アレイの複数のポートと空間多重化されたレイヤの数とを決定することと、
直交カバーコード（ＯＣＣ）と１つまたは複数の符号分割多重化（ＣＤＭ）グループとを使用して、復調基準信号（ＤＭＲＳ）パターン中で前記レイヤまたは前記ポートを多重化することによって、前記ＤＭＲＳパターンを構成することとを行うように構成された少なくとも１つのプロセッサと、
前記多重化されたレイヤおよび前記ポートを使用して、前記構成されたＤＭＲＳパターンに基づいて、ＤＭＲＳシンボルを送信するように構成されたトランシーバとを備える、装置。
［Ｃ１６］
ユーザ機器（ＵＥ）によるワイヤレス通信のための方法であって、
基地局（ＢＳ）から、復調基準信号（ＤＭＲＳ）パターンを示すダウンリンク（ＤＬ）制御シグナリングを受信することと、
前記ＤＬ制御シグナリングに基づいて、ＤＭＲＳシンボル送信のための、アンテナの多次元アレイのポートと空間多重化レイヤとを決定することと、前記ポートおよび前記レイヤが、直交カバーコード（ＯＣＣ）および１つまたは複数の符号分割多重化（ＣＤＭ）グループを使用して、直交ＤＭＲＳパターン中で多重化される、
前記決定に基づいて前記ＤＭＲＳシンボルを受信することとを備える、方法。
［Ｃ１７］
前記ＯＣＣが長さ２のＯＣＣを備え、
前記１つまたは複数のＣＤＭグループが、レイヤの第１のペアまたはポートの第１のペアに割り振られた第１のＣＤＭグループと、レイヤの第２のペアまたはポートの第２のペアに割り振られた第２のＣＤＭグループとを備え、
前記第１のＣＤＭグループおよび前記第２のＣＤＭグループが、時間および周波数領域における同じリソース要素上で非直交多重化され、
前記第１のＣＤＭグループが第１のスクランブリングシーケンスを使用し、前記第２のＣＤＭグループが第２のスクランブリングシーケンスを使用する、Ｃ１６に記載の方法。
［Ｃ１８］
前記ＯＣＣが長さ２のＯＣＣを備え、
前記１つまたは複数のＣＤＭグループが、レイヤの第１のペアまたはポートの第１のペアに割り振られた第１のＣＤＭグループと、レイヤの第２のペアまたはポートの第２のペアに割り振られた第２のＣＤＭグループとを備え、
直交時分割多重化（ＴＤＭ）および周波数分割多重化（ＦＤＭ）が、前記第１のＣＤＭグループと前記第２のＣＤＭグループとの間で適用される、Ｃ１６に記載の方法。
［Ｃ１９］
前記ＯＣＣが長さ４のＯＣＣを備え、
前記１つまたは複数のＣＤＭグループが、時間領域における４つの不連続リソース要素（ＲＥ）にわたる４つのレイヤまたは４つのポートに割り振られた単一のＣＤＭグループを備える、Ｃ１６に記載の方法。
［Ｃ２０］
前記ＯＣＣが長さ４のＯＣＣを備え、
前記１つまたは複数のＣＤＭグループが、
時間領域における４つの不連続リソース要素（ＲＥ）にわたる４つのレイヤまたは４つのポートの第１のセットに割り振られた第１のＣＤＭグループと、
時間領域における前記４つの不連続ＲＥにわたる４つのレイヤまたは４つのポートの第２のセットに割り振られた第２のＣＤＭグループとを備え、
前記第１のＣＤＭグループおよび前記第２のＣＤＭグループが、時間および周波数領域における同じリソース要素上で非直交多重化され、ここにおいて、前記第１のＣＤＭグループが第１のスクランブリングシーケンスを使用し、前記第２のＣＤＭグループが第２のスクランブリングシーケンスを使用する、Ｃ１６に記載の方法。
［Ｃ２１］
無線リソース制御（ＲＲＣ）シグナリングを介して、前記ＤＭＲＳパターンに関する指示を受信することをさらに備える、Ｃ１６に記載の方法。
［Ｃ２２］
前記指示が、
第１および第２のＣＤＭグループのために使用される多重化のタイプを識別する第１のデータと、
前記ＯＣＣの長さを識別する第２のデータとを備える、Ｃ２１に記載の方法。
［Ｃ２３］
物理ダウンリンク制御チャネル（ＰＤＣＣＨ）上でＬ１制御シグナリングを使用して、前記ＤＭＲＳシンボルを送信するための、アンテナの前記多次元アレイの前記ポートとレイヤの数とに関する指示を受信することをさらに備える、Ｃ１６に記載の方法。
［Ｃ２４］
Ｌ１制御シグナリングを使用して、前記ＤＭＲＳパターンとアンテナの前記多次元アレイの前記ポートとのジョイント指示を受信することをさらに備える、Ｃ１６に記載の方法。
［Ｃ２５］
前記ジョイント指示が、物理ダウンリンク共有チャネル（ＰＤＳＣＨ）レートマッチング指示のための１ビットと、構成されたＤＭＲＳパターンおよび送信アンテナの前記多次元アレイの前記ポートを示す４ビットとを備える、Ｃ１６に記載の方法。
［Ｃ２６］
共同スケジュールされたユーザ機器（ＵＥ）のための同じバンドリング境界に基づいて、複数のバンドルリソースブロック（ＲＢ）内で受信された前記ＤＭＲＳシンボルを処理することをさらに備え、
ここにおいて、同じプリコーダが前記複数のバンドルＲＢ内の各ポートのために使用された、Ｃ１６に記載の方法。
［Ｃ２７］
より高いレイヤ構成されたバンドリング境界に基づいて、複数のバンドルリソースブロック（ＲＢ）中で受信された前記ＤＭＲＳシンボルを処理することをさらに備え、
ここにおいて、同じプリコーダが前記複数のバンドルＲＢ内の各ポートのために使用された、Ｃ１６に記載の方法。
［Ｃ２８］
ユーザ機器（ＵＥ）によるワイヤレス通信のための装置であって、
ＤＬ制御シグナリングに基づいて、ＤＭＲＳシンボル送信のための、アンテナの多次元アレイのポートと空間多重化レイヤとを決定するように構成されたプロセッサと、前記ポートおよび前記レイヤが、直交カバーコード（ＯＣＣ）および１つまたは複数の符号分割多重化（ＣＤＭ）グループを使用して、直交ＤＭＲＳパターン中で多重化される、
基地局から、復調基準信号（ＤＭＲＳ）パターンを示す前記ダウンリンク（ＤＬ）制御シグナリングを受信することと、
前記決定に基づいて前記ＤＭＲＳシンボルを受信することとを行うように構成されたトランシーバとを備える、装置。
【図１】
0006755875.tif 000002
【図２】
0006755875.tif 000003
【図３】
0006755875.tif 000004
【図４】
0006755875.tif 000005
【図５】
0006755875.tif 000006
【図６】
0006755875.tif 000007
【図７】
0006755875.tif 000008
【図８】
0006755875.tif 000009
【図９】
0006755875.tif 000010
【図１０】
0006755875.tif 000011
【図１１】
0006755875.tif 000012
【図１２】
0006755875.tif 000013
【図１３】
0006755875.tif 000014
【図１４】
0006755875.tif 000015
【図１５】
0006755875.tif 000016
【図１５Ａ】
0006755875.tif 000017
【図１６】
0006755875.tif 000018
【図１６Ａ】
0006755875.tif 000019